(57)【要約】【課題】良好な画像を得ることができる回動可能な複数の表示モジュールを有した表示装置及びそれを用いた情報機器を提供する。【解決手段】第１、第２表示モジュール１１、１２はヒンジ部１３により、液晶表示パネルや有機ＥＬ表示パネルから成る表示パネル２１、２２を外側に向けて折り畳み可能になっており、第１、第２表示モジュール１１、１２の裏面上に配された回動軸１３ａを中心に第１、第２表示モジュール１１、１２が相対的に１８０゜回動して開かれる。この時、ヒンジ部１３が表示画面側に露出しない。【選択図】      図４
2004198472.tif 000002
【特許請求の範囲】
【請求項１】
画像を表示する表示パネルを表面に配した第１、第２表示モジュールを備え、前記表示パネルの表面よりも裏面側に回動軸を有するヒンジ部により第１、第２表示モジュールを回動可能に連結したことを特徴とする表示装置。
【請求項２】
前記回動軸を第１、第２表示モジュールの裏面上または裏面から外側に離れた位置に配したことを特徴とする請求項１に記載の表示装置。
【請求項３】
回動して同一面上に配された複数の前記表示パネルにより一画像を表示できることを特徴とする請求項１または請求項２に記載の表示装置。
【請求項４】
前記表示パネルはマトリクス状に配列された画素から成る表示領域を有し、回動により隣接する第１、第２表示モジュールの縁端と前記表示領域の縁端との距離を１０μｍ〜５００μｍにしたことを特徴とする請求項３に記載の表示装置。
【請求項５】
前記表示パネルは液晶表示パネルまたは有機ＥＬ表示パネルから成ることを特徴とする請求項１〜請求項４のいずれかに記載の表示装置。
【請求項６】
請求項１〜請求項５のいずれかに記載の表示装置を備えたことを特徴とする情報機器。
【請求項７】
第１、第２筐体を折り畳み可能に連結した携帯電話機から成り、第１筐体の外面側に第１表示モジュールを配置するとともに内面側に第２表示モジュールを配置して、第１、第２筐体を開いた際に第１表示モジュールを第２表示モジュールに隣接して配置できることを特徴とする請求項６に記載の情報機器。
【発明の詳細な説明】
【０００１】
【発明の属する技術分野】
本発明は、液晶表示パネルや有機ＥＬ表示パネル等が配された表示モジュールを有する表示装置及び情報機器に関し、特に回動可能な複数の表示モジュールを有する表示装置及び情報機器に関する。
【０００２】
【従来の技術】
液晶表示パネルを一の面に設けた複数の表示モジュールを連結した従来の表示装置は特許文献１、２に開示されている。これらの表示装置は各表示モジュールをヒンジ部により回動可能に連結して折り畳み可能になっており、折り畳まれた表示モジュールを開いて画像が視認可能になる。これにより、安価な小型の表示モジュールを用いて低コストで大画面を得ることができるとともに、収納時の省スペース化を図ることができるようになっている。
【０００３】
【特許文献１】
特開平７−９３１２５号公報（第２頁、第１図）
【特許文献２】
特開２００１−４２３５０号公報（第２頁−第４頁、第１図）
【０００４】
【発明が解決しようとする課題】
しかしながら、上記従来の表示装置によると、ヒンジ部の回動軸が表示面側に設けられるため、複数の表示モジュールを開いて一画面を形成した際に各液晶表示パネル間にヒンジ部が視認される。このため、良好な画像を得ることができない問題があった。
【０００５】
本発明は、良好な画像を得ることができる回動可能な複数の表示モジュールを有した表示装置及びそれを用いた情報機器を提供することを目的とする。
【０００６】
【課題を解決するための手段】
上記目的を達成するために本発明の表示装置及び情報機器は、画像を表示する表示パネルを表面に配した第１、第２表示モジュールを備え、前記表示パネルの表面よりも裏面側に回動軸を有するヒンジ部により第１、第２表示モジュールを回動可能に連結したことを特徴としている。
【０００７】
この構成によると、第１、第２表示モジュールはヒンジ部により、液晶表示パネルや有機ＥＬ表示パネルから成る表示パネルを外側に向けて折り畳み可能になっており、表示パネルの裏面側に配された回動軸を中心に第１、第２表示モジュールが回動して開かれる。回動軸を第１、第２表示モジュールの裏面上または裏面から外側に離れた位置に配すると、第１、第２表示モジュールを互いの背面が対向する位置まで折り畳むことができる。
【０００８】
回動して同一面上に配された複数の表示パネルにより一画像を表示できるようにすると小型の第１、第２表示モジュールにより大画面を得ることができる。この時、画素が配列された表示領域の縁端と、回動により隣接する第１、第２表示モジュールの縁端との距離を１０μｍ〜５００μｍにするとより望ましい。
【０００９】
また本発明は、上記構成の情報機器において、第１筐体の外面側に第１表示モジュールを配置するとともに内面側に第２表示モジュールを配置して、第１、第２筐体を開いた際に第１表示モジュールを第２表示モジュールに隣接して配置できる携帯電話機から成ることを特徴としている。
【００１０】
この構成によると、第１、第２筐体を折り畳んだ際には第１表示モジュールにより画像を表示し、第１、第２筐体が開かれると第２表示モジュールにより画像を表示することができるとともに、第１、第２表示モジュールを開いて大画面による画像を表示することができる。
【００１１】
【発明の実施の形態】
以下に本発明の実施形態を図面を参照して説明する。図１は第１実施形態の携帯電話機を示す斜視図である。携帯電話機１は、筐体用ヒンジ部４により第１、第２筐体２、３が折り畳み可能に連結されている。第１筐体２の上部には信号の送受信を行うアンテナ５が設けられる。
【００１２】
第１筐体２の外面側には、文字や画像から成る情報を表示して第１、第２筐体２、３を折り畳んだ状態で視認できる第１表示モジュール１１が配されている。
第１筐体２の内面側には、情報を表示して第１、第２筐体２、３を開いた状態で視認できる第２表示モジュール１２が配されている。第１、第２表示モジュール１１、１２は詳細を後述するように回動可能に連結され、表示装置１０を構成している。
【００１３】
図２、図３は携帯電話機１を開いた状態の内面側及び外面側を示す正面図である。第２筐体３には電源キー、通話キー、入力キー等の操作キー６が設けられる。操作キー６の操作によって第２表示モジュール１２に電話番号や設定メニュー等が表示されるようになっている。
【００１４】
図４〜図６はそれぞれ表示装置１０を示す上面図、正面図及び背面図である。
第１、第２表示モジュール１１、１２は表面に液晶表示パネルや有機ＥＬ表示パネル等から成る表示パネル２１、２２が設けられる。表示パネル２１、２２の背面に表示パネル２１、２２の駆動回路やバックライト等を備えた機構部２３、２４が配されている。
【００１５】
第１、第２表示モジュール１１、１２は背面に取り付けられた表示装置用ヒンジ部１３によって回動可能に連結されている。表示装置用ヒンジ部１３の回動軸１３ａは第１、第２表示モジュール１１、１２の背面１１ａ、１２ａ上に設けられている。
【００１６】
このため、図７に示すように、第１、第２表示モジュール１１、１２の背面１１ａ、１２ａが密着して表示装置１０を折り畳むことができるとともに、第１表示モジュール１１を１８０゜回動して表示パネル２１、２２を同一平面上に配置することができる。
【００１７】
これにより、図９に示すように携帯電話機１の表示画面を拡大し、表示される情報量が増加して利便性を向上させることができる。この時、第１、第２表示モジュール１１、１２から成る表示画面の間に表示装置用ヒンジ部１３が露出しないため、境界部分による視認性の低下を抑制して良好な画像を得ることができる。
【００１８】
回動軸１３ａは第１、第２表示モジュール１１、１２の背面１１ａ、１２ａから外側に離れた位置に配置してもよい。このようにしても、第１表示モジュール１１を１８０゜回動して表示装置１０を折り畳むとともに表示パネル２１、２２を同一平面上に配置することができる。
【００１９】
また、第２表示モジュール１２の背面１２ａには開口部１２ｂ、１２ｃが形成され、第１表示モジュール１１の背面１１ａには開口部１１ｂが形成される。開口部１２ｃには機構部２４に設けられた駆動基板（不図示）に接続されるフレキシブル基板２６が挿通される。開口部１１ｂ、１２ｃには機構部２４、２５に設けられた駆動基板間を接続するフレキシブル基板２５が挿通される。
【００２０】
これにより、表示パネル２１、２２が制御され、第１、第２表示モジュール１１、１２を開いた際に表示パネル２１、２２によって一画面を形成可能になっている。このため、画像等から成る一画面の情報を大画面で視認することが可能となり、携帯電話機１の利便性がより向上する。
【００２１】
また、フレキシブル基板２５が第１、第２表示モジュール１１、１２の背面側を通るため、携帯電話機１を折り畳んだ通常使用時にフレキシブル基板２５が露出しない。従って、フレキシブル基板２５に対する引っ掻き傷等による携帯電話機１の信頼性低下を防止することができる。
【００２２】
また、表示パネル２１、２２はマトリクス状に配列された画素から成る表示領域２１ａ、２２ａと、表示領域２１ａ、２２ａの周囲に形成される縁部２１ｂ、２２ｂとを有する。図８は図５のＡ部の拡大図である。表示装置１０を開いた際に隣接する表示パネル２１、２２の端面２１ｃ、２２ｃ（２１ｃは不図示）と表示領域２１ａ、２２ａの縁端との距離Ｂは５００μｍ以下に形成されている。
【００２３】
距離Ｂが５００μｍを超えると表示装置１０を開いた際に１ｍｍを超える幅の非表示部が中央部に形成されるため、良好な画像を得ることができない。また、距離Ｂが１０μｍよりも狭くなると、表示パネル２１、２２の周囲に配されるシール部の防湿性が維持できない場合が生じて信頼性が低下する。
【００２４】
このため、距離Ｂを１０μｍ〜５００μｍにするとよい。このような表示パネル２１、２２は、例えば、中央にシール材を挟んで２枚のガラス基板を貼り合わせ、シール材上の所定位置をダイシング加工して得ることができる。
【００２５】
尚、本実施形態では表示パネル２１、２２の端面２１ｃ、２２ｃが第１、第２表示モジュール１１、１２の端面と一致しているが、表示パネル２１、２２の周囲を覆うカバーが設けられる場合にはカバーの厚みを考慮して表示パネルの端面と表示領域の縁端との距離をより狭くする必要がある。
【００２６】
次に、図１０は第２実施形態のＰＤＡ（Personal Digital Assistants）を示す正面図である。ＰＤＡ３０は第１実施形態と同様の表示装置１０を備え、表示装置１０の下方に操作キー３１を有している。図１１に示すように、表示装置１０は第１、第２表示モジュール１１、１２を必要に応じて開くことにより大画面を形成することができる。この時、表示装置用ヒンジ部１３（図６参照）による視認性の低下を生じず、良好な画像を得ることができる。
【００２７】
尚、第１、第２実施形態に用いられる表示装置１０の表示パネル２１、２２を大型にし、パーソナルコンピュータ等を接続して画像を表示してもよい。即ち、第１、第２表示モジュール１１、１２を折り畳むと、対向する２方向から表示画面を視認することができる。これにより、表示パネル２１、２２に同一画像を表示してプレゼンテーション等を行うことができる。
【００２８】
また、必要に応じて第１、第２表示モジュール１１、１２を開くと、表示装置用ヒンジ部１３による視認性低下を生じることなく大画面によるプレゼンテーション等を行うことができる。上記表示装置をノート型のパーソナルコンピュータに搭載してもよい。
【００２９】
また、図１２の第３実施形態に示すように制御回路等を設けた筐体４５の周囲に第１〜第４表示モジュール４１〜４４を折り畳み可能に連結して表示装置を構成してもよい。このようにすると、第１〜第４表示モジュール４１〜４４を折り畳むと４方向から画像を視認しながらプレゼンテーション等を行うことができる。
【００３０】
図１３に示すように、必要に応じて第１〜第４表示モジュール４１〜４４を開くと、表示装置用ヒンジ部１３（図６参照）による視認性低下を生じることなく大画面によるプレゼンテーション等を行うことができる。
【００３１】
尚、本実施形態の表示装置用ヒンジ部１３の回動軸１３ａは第１〜第４表示モジュール４１〜４４の背面上に配されているが、該背面よりも表示パネル５１〜５４側に設けてもよい。このようにしても、第１〜第４表示モジュール４１〜４４の背面側の端面を面取りすることによって、それぞれを相対的に１８０゜よりも小さい角度（例えば９０゜）だけ回動させることが可能になる。
【００３２】
【発明の効果】
本発明によると、表示パネルの表面よりも裏面側に回動軸を有するヒンジ部により第１、第２表示モジュールを回動可能に連結することによって、第１、第２表示モジュールを折り畳んで多方向から画像を視認可能にできるとともに、第１、第２表示モジュールを開いてヒンジ部による視認性低下を生じることなく大画面による良好な画像を得ることができる。
【００３３】
また本発明によると、ヒンジ部の回動軸を第１、第２表示モジュールの裏面上または裏面から外側に離れた位置に配することによって第１、第２表示モジュールを相対的に１８０゜回動させることができ、収納時の省スペース化を図ることができる。
【図面の簡単な説明】
【図１】は、本発明の第１実施形態の携帯電話機を示す斜視図である。
【図２】は、本発明の第１実施形態の携帯電話機の内面側を示す正面図である。
【図３】は、本発明の第１実施形態の携帯電話機の外面側を示す正面図である。
【図４】は、本発明の第１実施形態の携帯電話機の表示装置を示す上面図である。
【図５】は、本発明の第１実施形態の携帯電話機の表示装置を示す正面図である。
【図６】は、本発明の第１実施形態の携帯電話機の表示装置を示す背面図である。
【図７】は、本発明の第１実施形態の携帯電話機の表示装置の折り畳んだ状態を示す上面図である。
【図８】は、図５のＡ部拡大図である。
【図９】は、本発明の第１実施形態の携帯電話機の表示装置を開いた状態を示す正面図である。
【図１０】は、本発明の第２実施形態のＰＤＡの表示装置を折り畳んだ状態を示す正面図である。
【図１１】は、本発明の第２実施形態のＰＤＡの表示装置を開いた状態を示す正面図である。
【図１２】は、本発明の第３実施形態の表示装置を折り畳んだ状態を示す上面図である。
【図１３】は、本発明の第３実施形態の表示装置を開いた状態を示す上面図である。
【符号の説明】
１    携帯電話機
２    第１筐体
３    第２筐体
４    筐体用ヒンジ部
６、３１  操作キー
１０、４０  表示装置
１１、４１  第１表示モジュール
１２、４２  第２表示モジュール
１３    表示装置用ヒンジ部
２１、２２、５１〜５４  表示パネル
２２ａ  表示領域
２３、２４  機構部
２５、２６  フレキシブル基板
３０    ＰＤＡ
【図１】
2004198472.tif 000003
【図２】
2004198472.tif 000004
【図３】
2004198472.tif 000005
【図４】
2004198472.tif 000006
【図５】
2004198472.tif 000007
【図６】
2004198472.tif 000008
【図７】
2004198472.tif 000009
【図８】
2004198472.tif 000010
【図９】
2004198472.tif 000011
【図１０】
2004198472.tif 000012
【図１１】
2004198472.tif 000013
【図１２】
2004198472.tif 000014
【図１３】
2004198472.tif 000015